(57)【要約】      （修正有）【課題】背もたれ上端面に取り付けられた面ファスナーを利用して、枕に相当するクッションを低コストで、落下することなく、常時背もたれ上部に取り付けるクッション付枕カバーを提供する。【解決手段】座席３の背もたれ上端面３２に付けられた面ファスナー３３を利用する。枕に相当するクッション２を付けた枕カバー１にも面ファスナー１１を取り付けておき、上端面の該面ファスナー３３と結合させて、該枕カバー１を背もたれ上部３１に取り付ける。依って、該枕カバ―１に付けられた枕に相当するクッション２が常時、落下することなく、背もたれ上部３３に取り付けられた状態になる。【選択図】図１
2016158850.tif 000002
【特許請求の範囲】
【請求項１】
略長方形のシート状で、柔軟性のある本体（１０）の裏面の上端近くに、該本体（１０）の上辺に平行に、帯状の面ファスナー（１１）を設け、該面ファスナーと同じ面にクッション取付手段を設けた、クッション付枕カバー。
【請求項２】
クッション取付手段が、上方が開いた袋状、側方が開いた袋状又は両側方が開いたつぶれた筒状収納部（１２）である、請求項１に記載のクッション付枕カバー。
【請求項３】
クッション取付手段が面ファスナーである、請求項１に記載のクッション付枕カバー。
【請求項４】
クッション取付手段が接着剤又は粘着剤である、請求項１に記載のクッション付枕カバー。
【請求項５】
クッション取付手段が断面形状が逆L字形のフック（２１）と断面形状がコの字形を縦に伸ばした形状の受片（１２）とである、請求項１に記載のクッション付枕カバー。
【請求項６】
クッション（２）が、綿、フェルト又は雑フェルトの繊維体を絡ませたものである、請求項１〜請求項５のいずれか１項に記載のクッション付枕カバー。
【請求項７】
クッション（２）が、ゴムスポンジ、ＥＶＡスポンジ、又はプラスチックスポンジの発泡体である、請求項１〜請求項５のいずれか１項に記載のクッション付枕カバー。
【請求項８】
クッション（２）が、気体を封入した気密性の袋体又は封入気体量調節用のバルブ付の該袋体である、請求項１〜請求項５のいずれか１項に記載のクッション付枕カバー。
【請求項９】
クッション（２）が、断面形状がＯの字形又はＵの字形の中空弾性体である、請求項１〜請求項５のいずれか１項に記載のクッション付枕カバー。
【請求項１０】
本体（１０）の表面に広告を載せた、請求項１〜請求項９のいずれか１項に記載のクッション付枕カバー。
【請求項１１】
本体（１０）がプラスチックのシート、布帛、和紙を含む紙、又は不織布である、請求項１〜請求項１０のいずれか１項に記載のクッション付枕カバー。
【発明の詳細な説明】
【技術分野】
【０００１】
本発明は、座席等の背に取り付けるクッション付枕カバーに関する。詳しくは、椅子、座席等の背もたれ上部の後頭部の当たる側に取り付けるクッション付枕カバーに関する。クッションは、枕に相当するので、見方を変えると、枕を座席等の背もたれに取り付ける枕カバーに関する。
【背景技術】
【０００２】
従来、航空機・列車・バス・船舶等の交通機関、劇場等の公共施設で使用される背もたれ付の座席の後頭部が当たる部分には、通常、面ファスナー付の布・不織布等でできた取替式枕カバーが付いている。背もたれ上部の頭髪による汚れ防止や客に対して清潔感を訴えるものと考えられる。背もたれの上端面には、通常オス（鉤・突起物等引っ掛けるものが付いているものをオスとする）の面ファスナーが付けてあり、枕カバーにはメス（小さなループ状等引っ掛かり易いものが付いているものをメスとする）の面ファスナーが付けてある。オスの面ファスナーを洗濯すると、繊維クズ等のゴミが付き易いため、洗濯をしない背もたれの上端面にオスの面ファスナーを付けたものと考えられる。
【０００３】
通常、背もたれ上部の後頭部が当たる部分は、蒲鉾（かまぼこ）状にふくれており、形状的には枕の形をしているが、一般に固くてクッション不足であり、枕の役目は余り果していない。それで、乗客の中には、空気を入れて膨らせて、クッションを持たせた携帯用の枕を持ち込む者もいる。背もたれ上部の後頭部が当たる部分に、クッションの効いた枕が欲しいという潜在的要求は、強いものがあつたといえる。
【０００４】
次に、市販の旅行用枕を調べてみると、空気を注入して膨らせるものを含めて、略直方体のもの（断面は丸みを帯びる）や、首を挟む逆U字型をしたもの、例えば下記［特許文献１］がある。枕を後頭部に当て、座席の背もたれ上部に押し当てていても、単純な略直方体のものは、頭が枕から少しでも離れると、枕は落下する。逆U字型をしたものは、首を挟んだ形で、下部の先端が肩に乗った形になっているので、頭が枕から離れても、肩が背もたれに当たっている限りは、枕は落下しないが、例えば前席のシートポケットから何かを取り出そうとして、上体を前かがみにしたりして、肩が背もたれから離れると、枕は落下する、という問題点がある。このため、枕に相当するクッションが背もたれ上部に、常時付いておれば、乗客にとっては有益である。
【０００５】
特許文献１の実開平１−１２６１６６号「エアクッションの枕カバー」公報に記載のものは、逆U字形の空気入りクッションで首を挟むもので、頭が離れても肩が付いておれば、枕が落下しないものである。
【０００６】
特許文献２の実登３１７５８０７号「枕カバー」公報に記載のものは、リクライニングベッド用の枕カバーで、リクライニングベッドを起立させた状態でもずり落ちを防止するものである。ずり落ち防止は、滑止材による。
【０００７】
特許文献３の特開２０１２−１２０７５７「枕取付具」公報に記載のものは、国際線の旅客機で毛布と共に配られる枕を背もたれの上部に、取り付けるものである。
【０００８】
特許文献４の実登３１４２７１３号「椅子の背もたれ部のカバーシート」公報に記載のものは、座席の背もたれの枕カバーの反対側に、即ち後ろの席の乗客の前方に、広告表示をしたシートを垂らすものである。
【先行技術文献】
【特許文献】
【０００９】
【特許文献１】実開平１−１２６１６６号「エアクッションの枕カバー」公報
【特許文献２】実登３１７５８０７号「枕カバー」公報
【特許文献３】特開２０１２−１２０７５７「枕取付具」公報
【特許文献４】実登３１４２７１３号「椅子の背もたれ部のカバーシート」公報
【発明の概要】
【発明が解決しようとする課題】
【００１０】
上記［背景技術］で記したように、枕に相当するクッションは、略直方体又は逆U字形の形状でも、頭又は肩が背もたれ上部から離れると、落下するという問題点がある。
【００１１】
通常、座席等の背もたれ上部には、上端面に取り付けられた面ファスナーを利用して、面ファスナー付の枕カバーが取り付けてある。
【００１２】
国際線航空機で配布された枕を背もたれの上部に取り付ける枕取付具(特許文献３)も提案されているが、予め機内に持ち込まなければならない、という問題点がある。
【００１３】
クッション付枕カバーを普及させるには、コストが重要である。材料費、加工費を抑える他に、広告を載せることも検討した。
【００１４】
本発明が解決しようとする課題は、これらの問題点を解決し、背もたれ上端面に取り付けられた面ファスナーを利用して、枕に相当するクッションを低コストで、落下することなく常時座席の背もたれ上部に取り付けるクッション付枕カバーを提供することである。なお、主要課題は、低コストで普及を図ることであるが、実施例の中には、一部高級化路線のものも含む。
【課題を解決するための手段】
【００１５】
本発明は、座席の背もたれ上端面に付けられた面ファスナーを利用して、枕に相当するクッションを低コストで、常時座席の背もたれ上部に取り付けることを特徴とする。従来使用されている面ファスナー付枕カバーに、クッション取付手段を設けたものである。
【００１６】
請求項１に係るクッション付枕カバー１は、略長方形のシート状で、柔軟性のある本体１０の裏面の上端近くに、該本体１０の上辺に平行に、帯状の面ファスナー１１を設け、該面ファスナー１１と同じ面にクッション取付手段を設けるものである。クッション取付手段は、クッション２を本体１０に取り付けるための手段である。
【００１７】
座席とは、航空機、新幹線・ＪＲ・私鉄の列車、バス・乗用車、船舶の交通機関の他に、
住宅用建物、学校、公民館、劇場等の公共用建造物内で使用される背もたれの付いた椅子・腰掛類をいう。主として、背もたれ上端面に面ファスナーの片方（通常オスの方）が付いているものをいうが、面ファスナーの片方が付いていない場合は、面ファスナーの片方を取り付けてもよい。
【００１８】
略長方形の略というのは、正確に長方形でなくても、多少変形していてもよいということである。本体１０の厚さは、普通の布・不織布と同じである。従来の枕カバー１には、布や不織布を使用しているので、この布や不織布の程度の薄さを指す。
【００１９】
枕カバー１は、取り外して洗濯することがあるので、通常、面ファスナーは、ゴミの付かないメスの方を取り付ける。オスの方は、手に当たると痛いことがあるのも、メスの方を取り付ける理由である。品質の良い枕カバー１は、取り外して洗濯し、安価な不織布等の枕カバー１は、洗濯して取り替える費用よりも安い場合は、使い捨てにしている。
【００２０】
請求項２に係るクッション付枕カバー１は、クッション取付手段が、上方が開いた袋状、側方が開いた袋状又は両側方が開いたつぶれた筒状の収納部１２である、請求項１に記載のものである。収納部１２の中に、クッション２を入れることにより取り付ける。つぶれた筒状の「つぶれた」は、筒には円い意味があるので、袋状の両端が開いたものを表すため付け加えた。
【００２１】
請求項３に係るクッション付枕カバー１は、クッション取付手段が面ファスナーである、請求項１に記載のものである。洗濯をすることもある本体１０に取り付ける面ファスナーは、ゴミの付かないメスの方を取り付けるが、オスの方を付けても構わない。面ファスナーは、上方に取り付けておけば、クッション２は軽いので、保持される。
【００２２】
請求項４に係るクッション付枕カバー１は、クッション取付手段が接着剤又は粘着剤である、請求項１に記載のものである。粘着剤は、片方に塗布すればよい。又粘着剤は、接触した瞬間に取付けが終了する。クッション２は、軽いものなので、時間が経過しても外れることはなく、又、ズレ（クリープ、経過時間と共にクッション2が徐々に位置を変えること。）を生じる心配もなく、枕取付具には向いている。接着剤の場合は、使用する接着剤の使用条件をよく守る。コストを考えると、粘着剤の方が有利である。なお、コストを抑えるため、粘着剤の塗布量を少なくしてもよい。例えば、粘着剤を縞模様（川の字を縦に伸ばしたものを横に並べたもの）やスポット状（点を大きくしたものを上下左右に並べる）に塗布しても、軽いクッション２は、十分保持される。
【００２３】
請求項５に係るクッション付枕カバー１は、クッション取付手段が断面形状が逆L字形のフック２１と断面形状がコの字形を縦に伸ばした形状の受片１２とである、請求項１に記載のものである。フック２１と受片１２との長さは、互いに対応したものである。受片１２の空間部にフック２１を挿入して、結合する。受片１４及びフック２２は、クッション２を介して後頭部が当たるので、長手方向に直角に切れ目を多数入れて、曲がるようにするか、ゴム、軟質プラスチックのような柔軟性のあるものを用いる。
【００２４】
請求項６に係るクッション付枕カバー１は、クッション２が、綿、フェルト又は雑フェルトの繊維体を絡ませたものである、請求項１〜請求項５のいずれか１項に記載のものである。繊維体を絡ませたもの表面を布、不織布等で覆ってもよい。
【００２５】
請求項７に係るクッション付枕カバー１は、クッション２が、ゴムスポンジ、ＥＶＡスポンジ、又はプラスチックスポンジの発泡体である、請求項１〜請求項５のいずれか１項に記載のものである。プラスチックスポンジは、ポリウレタン等のプラスチックの発泡体を指す。ＥＶＡもプラスチックであるが、広く使われているので、独立させた。プラスチックには、いろいろなものが含まれる。発泡体は、独立気泡でも連続気泡でもよい。
【００２６】
請求項８に係るクッション付枕カバー１は、クッション２が、気体を封入した気密性の袋体又は封入気体量調節用のバルブ付の該袋体である、請求項１〜請求項５のいずれか１項に記載のものである。気体は、通常空気を入れる。
【００２７】
請求項９に係るクッション付枕カバー１は、クッション２が、断面形状がＯの字形又はＵの字形の中空弾性体である、請求項１〜請求項５のいずれか１項に記載のものである。弾性体は、ゴムでも軟質プラスチックでもよい。ゴムは、加硫ゴムでも熱可塑性のゴムでもよい。
【００２８】
請求項１０に係るクッション付枕カバー１は、本体１０の表面に広告を載せた、請求項１〜請求項９のいずれか１項に記載のものである。表面は、後頭部が当たる面で、着席していないときに、よく見える面である。広告を載せる目的は、費用を下げるためである。なお、［特許文献4］は、本発明の進歩性否定材料には当たらない。課題が異なること、低コストでクッションを背もたれの上部に常時保持するという顕著な効果がないこと、広告を載せる場所が前席の背部であり、本発明の後頭部が当たる面とは場所が異なるからである。
【００２９】
請求項１1に係るクッション付枕カバー１は、本体１０がプラスチックのシート、布帛、和紙を含む紙、又は不織布である、請求項１〜請求項１０のいずれか１項に記載のものである。布帛は、織物と編物とを指す。コストも重要である。コストが安いものは、取り替えて洗濯することなく、使い捨てにできる。
【発明の効果】
【００３０】
請求項１の発明は、後頭部を枕に相当するクッション２から離しても、又は肩を背もたれから離してもクッション２が落下しないという効果がある。クッション２を枕カバー１から取り外し可能にしたものは、枕カバー１が使い捨ての時も、クッション２を繰り返し使用できるという効果がある。
【００３１】
請求項２の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。
【００３２】
請求項３の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。
【００３３】
請求項４の発明は、後頭部を枕に相当するクッション２から離しても、又は肩を背もたれから離してもクッション２が落下しないという効果がある。粘着剤使用のものは、コストを安くできるという効果がある。
【００３４】
請求項５の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。
【００３５】
請求項６の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。
【００３６】
請求項７の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。
【００３７】
請求項８の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。又、クッション２を安価に得られる他に、薄いプラスチックシートの袋体に空気を封入したものであるから軽量であるという効果がある。特に、重量をわずかしか増加させないという利点は、航空機に適用する場合に大きな効果となる。
【００３８】
請求項９発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。又、クッション２の弾力性を、中空状の形状や肉厚を調整することにより、調整できるという効果がある。
【００３９】
請求項１０の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。表面は外部から見られる面であり、広告を載せることにより、枕カバー１の費用を軽減できるという効果がある。
【００４０】
請求項１１の発明は、後頭部を枕に相当するクッション２から離しても、又は肩を背もたれから離してもクッション２が落下しないという効果がある。クッション２を枕カバー１から取り外し可能にしたものは、枕カバー１が使い捨てのときも、クッション２を繰り返し使用できるという効果がある。本体１０への使用材料が広くなるという効果がある。
【図面の簡単な説明】
【００４１】
【図１】実施例１のクッション付枕カバー及び使用状態を示す、斜視図、断面図及び平面図である。
【図２】実施例２のクッション付枕カバーを示す平面図である。
【図３】実施例３のクッション付枕カバーを示す斜視図である。
【図４】実施例４のクッション付枕カバーを示す平面図である。
【図５】実施例５のクッション付枕カバーを示す、平面図、斜視図及び正面図である。
【図６】実施例６のクッションを示す断面斜視図である。
【図７】実施例７のクッション付枕カバーの製造工程を示す平面図である。
【発明を実施するための形態】
【００４２】
座席の背もたれ上端面に取り付けられた面ファスナーを利用して、枕に相当するクッションを低コストで、常時座席の背もたれ上部に取り付けるものを提供するという目的をクッション付枕カバーで実現した。以下、発明を実施するための最良の形態を実施例により説明する。実施例１から実施例４は、一般的なクッション２のものである。実施例５は、クッション２が気体を封入した気密性のある薄いプラスチックシートで構成された袋体であるものである。実施例６は、クッション付枕カバーを製造する工程を示したものである。
【実施例１】
【００４３】
実施例１のクッション付枕カバー１（以下、枕カバー１と略記する。）を図1に基づいて説明する。図1の（Ａ）は、座席３の背もたれ上部３１に本発明の枕カバー１を取り付けたところを示す斜視図である。座席３の背もたれ上端面３２には、通常面ファスナーのオス３３（図示は（Ｂ）を参照）（オスは、鉤・フック状で、洗濯すると、繊維屑等のゴミが付着するので、洗濯しない上端面３２に取り付ける。）が取り付けてある。この面ファスナーのオス３３により、枕カバー１を背もたれ上部３１に取り付ける。略長方形の枕カバーの本体１０の裏面（後頭部の当たらない面）には、短辺の端近くに短辺に平行に、帯状の面ファスナーのメス１１を取り付けておき、この面ファスナーのメス１１と前記背もたれ上端面３２の面ファスナーのオス３３とが結合することにより、枕カバー１は、座席３の背もたれ上部３１に取り付けられる。この枕カバー１の裏面にはクッション収納部１２（図示は（Ｂ）を参照）が設けてあり、この中にクッション２を入れることにより、枕カバー１の裏面にクッション２を取り付ける。(点線で示す。)
【００４４】
（Ｂ）は、（Ａ）のＸ−Ｘ線断面図である。（Ａ）と同様、座席３の背もたれ上端面３２には、面ファスナーのオス３３を取り付ける。これに枕カバー１裏面の面ファスナーのメス１１が結合して、枕カバー1が取り付けられる。枕カバー１の裏面に付けられたクッション収納部１２の開口部１２１からクッション２を入れて保持したところを示す。
【００４５】
（Ｃ）は、枕カバー本体１０の裏面（背もたれ上部３１に接触する面）に、帯状の面ファスナーのメス１１と袋状のクッション収納部１２とを設けたものを示す、斜視図的平面図である。斜視図的というのは、クッション収納部１２の開口部１２１のみを斜視図のように、立体的に描いているからである。袋状のクッション収納部１２の開口部１２１からクッション２を出し入れする。なお、袋状のクッション収納部１２は、図示は省略するが、開口部１２１を側方にした横向きのものでもよい。
【００４６】
（Ｄ）は、枕カバー本体１０の裏面に、帯状の面ファスナーのメス１１と筒状のクッション収納部１２とを設けたものを示す、斜視図的平面図である。筒状のクッション収納部１２の両側方部に設けた開口部１２１、１２１からクッション２を出し入れする。筒状故、開口部１２１は両端にある。（Ｄ）に示すものは、（Ｂ）に示すクッション収納部１２とは異なる。
【００４７】
実施例１の枕カバー１は、後頭部を枕に相当するクッション２から離しても、又は肩を背もたれから離しても、クッション２が落下しないという効果がある。クッション２を枕カバー１から取り外し可能にしたことは、クッション２を繰り返し使用するという前提である。実施例１の枕カバー１は、クッション２を取り外して洗濯でき、枕カバー１が使い捨ての場合でも、クッション２を取り外して、繰り返し使用できるという効果がある。
【実施例２】
【００４８】
実施例２の枕カバ１を図２に基づいて説明する。実施例２に示すものは、クッション取付手段を面ファスナーにしたものである。図２の（Ａ）は、枕カバー１の裏面を示す平面図である。略長方形の本体１０の裏面の短辺に近いところに、この短辺に平行に、背もたれ上端面３２に取付用の、帯状のメスの面ファスナー１１を取り付ける。少し距離を置いて、クッション取付用の長方形のメスの面ファスナー１３を取り付ける。メスにする理由は、洗濯するときに、ゴミが付き難いことと手が当たっても痛くないからである。ここにクッション２に付けたオスの面ファスナー２１を結合させることにより、クッション２を枕カバー１を介して、背もたれ上部３１に取り付ける。なお、面ファスナーのオス・メスは、逆にしても良い。このオス・メスの面ファスナー１３、２１がクッション取付手段である。
【００４９】
（Ｂ）は、他の枕カバー１を示す平面図である。（Ａ）のものと異なる点は、クッション取付用の長方形のメスの面ファスナー１３を２つの小さな長方形のものに分けたことである。その他は、（Ａ）に示すものと同じである。これに対応するクッション２に付けるオスの面ファスナー２１も、同様に（Ｄ）に示すように２つに分ける。
【００５０】
（Ｃ）は、（Ａ）に示す枕カバー１に取り付けるクッション２を示す平面図である。略長方形のクッション２の長辺に近いところに、この長辺に平行に、枕カバー１に取付用のオスの面ファスナー２１を取り付ける。この面ファスナー２１は、（Ａ）のクッション取付用面ファスナー１３とほぼ同じ形状、大きさである。（Ｃ）のクッション２は、（Ａ）に示す枕カバー１に取り付けるためのものである。（Ａ）の枕カバー１と結合することにより、（Ｃ）のクッション２は、枕カバー１を介して、背もたれ上部３１に取り付けられることになる。クッション２は、面ファスナー１３,２１の着脱により、繰り返し使用できるという効果がある。
【００５１】
（Ｄ）は、（Ｃ）に示したクッション２に取り付けられた面ファスナー２１を２つの小さな長方形の面ファスナー２１、２１に分けて、離してクッション２に取り付けたものである。その他は、（Ｃ）に示したクッション２と同じである。
【００５２】
実施例２の枕カバー１は、後頭部を枕に相当するクッション２から離しても、又は肩を背もたれから離してもクッション２が落下しないという効果の他に、面ファスナー１３,２１の着脱により、クッション２を繰り返し使用できるという効果がある。
【実施例３】
【００５３】
実施例３の枕カバーを図3に基づいて説明する。実施例３に示すものは、クッション取付手段を受片１４とフック２２とにしたものである。図３の（Ａ）は、枕カバー１の本体１０を示す斜視図である。略長方形の本体１０の短辺に近いところの裏面に、この短辺に平行に、背もたれ上端面３２に取付用の、帯状のメスの面ファスナー１１を取り付ける。少し距離を置いて同じく裏面に、短辺に平行にクッション２取付用の細長いコの字形の両端に取付部を設けた受片１４を設ける。ここに（Ｃ）に示した、クッション２の長辺近くに、長辺に平行に下向きに設けた断面逆Ｌ字形のフック２２を掛けて、枕カバー本体１０にクッション２を取り付ける。受片１４は、本体１０の上方に位置するので、クッション２は、フック２２により落下しない。受片１４及びフック２２は、クッション２を介して後頭部が当たるので、長手方向に直角に切れ目を多数入れて、曲がるようにするか、ゴム、軟質プラスチックのように、柔軟性のあるものを用いる。
【００５４】
（Ｂ）は、（Ａ）の受片１４を２つの小型の受片１４、１４に変えたものを示す斜視図である。これらの小型の受片１４、１４に、（Ｄ）に示す２つの小型のフック２２、２２を掛けて、（Ｂ）の枕カバー本体１０に（Ｄ）のクッション２を取り付ける。その他は、（Ａ）のものと同じである。
【００５５】
（Ｃ）は、（Ａ）の枕カバー１に取り付けるクッション２を示す。略直方体（略としたのは、角部分が丸みを帯びるからである。）のクッション２の後頭部が当たる面の長辺の近くに、長辺に平行に断面形状逆Ｌ字形のフック２２を設ける。このフック２２を（Ａ）に示した受片１２に掛けて、クッション２を枕カバーの本体１０に取り付ける。このフック２２も上記の受片１４と同様に、切れ目を入れたり、柔軟性のあるものを用いる。
【００５６】
（Ｄ）は、（Ｃ）に示したフック２２を２つの小型のフック２２、２２に分けたものである。使い方その他は、（Ｃ）に示したものと同じである。
【００５７】
実施例３の枕カバー１は、後頭部を枕に相当するクッション２から離しても、又は肩を背もたれから離してもクッション２が落下しないという効果の他に、クッション２を枕カバー１から外して、繰り返し使用できるという効果がある。
【実施例４】
【００５８】
実施例４の枕カバーを図４に基づいて説明する。実施例４に示すものは、クッション取付手段として、接着剤又は粘着剤を用いたものである。図４の（Ａ）は、枕カバー１を示す平面図である。略長方形の本体１０の短辺に近いところの裏面に、この短辺に平行に、背もたれ上端面３２に取り付けられた面ファスナーのオス３３に結合用の、帯状のメスの面ファスナー１１を取り付ける。少し距離を置いて、短辺に平行にクッション２取付用の接着剤又は粘着剤１５を塗布する。
【００５９】
（Ｃ）に示すように、クッション２の枕カバー１が当たる面（言い換えれば、枕カバー１を介して後頭部が当たる面）に接着剤又は粘着剤２３を塗布する。接着剤又は粘着剤２３によりクッション２を取り付ける。接着剤使用の場合は、使用する接着剤の使用条件に従う。粘着剤は、枕カバー１かクッション２のどちらか一方に塗布すればよい。
【００６０】
接着剤又は粘着剤１３で取り付けたクッション２は、外せないので、実施例４の枕カバー１は、クッション２を含めて使い捨てのものになる。従って、枕カバー１は、不織布等の安価なもの、クッション２は雑フェルト、薄いプラスチックシートの空気封入物等の安価なものになる。
【００６１】
（Ｂ）は、（Ａ）の接着剤又は粘着剤１５の塗布面積を縦方向に狭くして、小さくしたものである。上端部の位置は同じなので、取り付けるクッション２の位置は変わらない。
【００６２】
（Ｃ）は、（Ａ）の枕カバー１に取り付けるクッション２を示す。クッション２の後頭部が当たる面の長辺の近くに、長辺に平行に、長方形の形に接着剤又は粘着剤２３を塗布する。接着剤又は粘着剤２３を塗布した本体１０とクッション２とを結合させる。粘着剤は、どちらか一方に塗布すればよいので、枕カバー１に塗布してある場合は、クッション２には塗布しなくてよい。
【００６３】
（Ｄ）は、（Ｃ）に示したクッション２に塗布する接着剤又は粘着剤２３の面積を縦方向に小さくしたものである。上端部の位置及び水平方向の長さは同じなので、取り付けるクッション２の位置は変わらない。使い方その他は、（Ｃ）に示したものと同じである。
【００６４】
実施例４の枕カバー１は、後頭部を枕に相当するクッション２から離しても、又は肩を背もたれから離しても、クッション２が落下しないという効果の他に、安価であること及び使い捨てタイプなので、枕カバー１からクッション２を外して、回収したり、枕カバー１を洗濯する手間が省けるという効果がある。
【実施例５】
【００６５】
実施例５の枕カバーを図５に基づいて説明する。実施例５に示すものは、クッション２が気体（実際は空気）を封入した、気密性のある薄いプラスチックシートで構成された袋体であるものである。図５の（Ａ）は、形状が略直方体であるクッション２を示す平面図である。略直方体としたのは、気体を封入するため、角が丸みを帯びるからである。空気封入口２４から空気を封入した後、加熱してつぶして空気を封入する。空気封入口２４を使用しなくても、クッション２内に空気封入ができる場合は、空気封入口２４はなくてもよい。空気封入式のクッション２は、枕カバー１を取替式にして、繰り返し使用してもよいし、不織布のような安価な枕カバー１に結合したままの使い捨てタイプに使用してもよい。プラスチックの薄いシートを枕カバー１に使用し、安価に作ることができる効果がある。使い捨ての場合は、クッション２はかさばるので、廃棄の前に針、刃物の類でつぶす作業を入れる。背もたれ上部３１から外した直後につぶすのがよい。
【００６６】
（Ａ）に示すものは、空気を封入した袋体の基本的なもので、前記のものとは別の作り方もある。チューブ状の薄いプラスチックシートの端をヒートシールしたものに、一定圧力の空気を入れ、一定間隔でヒートシールして、カットしていけば安価に製造できるという特徴がある。空気封入口２４はない。
【００６７】
（Ｂ）は、（Ａ）のクッション２の片面の長辺近くに、長辺に平行に帯状の面ファスナー２１を取り付けたものの平面図である。面ファスナー２１の取付は、粘着剤でも接着剤でもよいし、熱融着でもよい。面ファスナー１２を取り付けた枕カバー１に取り付ける。空気封入口２４は省略する。
【００６８】
（Ｃ）は、（Ａ）のクッション２の片面に接着剤又は粘着剤２３を塗布したものの平面図である。現実的には、粘着剤の方が有利である。枕カバー１への取付手段は、上記した面ファスナー等いろいろなものが使用できるが、コストを考えると、粘着剤が良いと考えられる。粘着剤は、枕カバー１かクッション２のどちらかに塗布すればよい。空気を封入した薄いプラスチックシートの袋体は軽量故、強い保持力は不要である。粘着剤は、接触した瞬間に保持される。粘着剤の塗布は、クッション２でも枕カバー１でもどちらでもよい。両方に塗布してもよいが、その必要はない。実施例５の空気封入袋体のクッション２を粘着剤により枕カバー１に取り付けたものは、コスト面で有利である。空気封入口２４は省略する。
【００６９】
（Ｄ）は、逆U字形のクッション２の平面図である。首を挟むようにして、上部の水平部分の中央に、後頭部を当てる。首になじみ、２つの山の先端部が肩に付いている限り、クッション２（枕に相当）は落下しない。空気封入口２４は省略する。
【００７０】
（E）は、（Ｄ）に示したクッション２の上端辺に平行に帯状の面ファスナー２１を取り付けたものの平面図である。面ファスナー１１を取り付けた枕カバー1に適用する。空気封入口２４は省略する。
【００７１】
（F）は、（Ｄ）に示したクッション２の形状の逆U字形の内側の形状を２本の縦の平行部分が丸みを持つように変形して、首が丁度入る形にしたものの平面図である。 クッション２を枕として使用するときに、首が入るようにしたものである。首を挟んだ形にすると、クッション２（枕）が頭によくなじんで、安定感があり、着用感が良いし、クッション２（枕に相当）は落下し難いという効果がある。空気封入口２４は省略する。
【００７２】
（Ｇ）は、（Ｄ）に示した逆U字形のクッション２の上端横部分はやや薄く、両脇の縦部分は厚くしたものの斜視図である。首を挟んで着用したときに、両サイドが厚いので、安定感がある。
【００７３】
（Ｈ）は、（Ｇ）に示したクッション２の正面図である。
【００７４】
（Ｉ）は、（Ｇ）に示したクッション２の平面図である。
【００７５】
（Ｊ）は、（Ｇ）に示したクッション２の他の作り方を示す平面図である。３つの空気封入部をそれぞれ独立させて、各々に空気封入口２４,２４,２４を設けたものの平面図である。
【００７６】
（Ｋ）は、（Ａ）のものの後頭部が当たる面の下部即ち、首の後部が当たる部分に、突起２５を多数設けたものの斜視図である。突起２５が首に当たり、マッサージ効果を奏するものである。（Ｋ）のものは、［発明が解決しようとする課題］の末尾に記載した、一部高級化路線のものに当たる。首の後部のマッサージをするからである。
【００７７】
実施例５の枕カバー１は、後頭部を枕に相当するクッション２から離しても、又は肩を背もたれから離してもクッション２が落下しないという効果の他に、クッション２を安価に作れるという効果がある。（Ｋ）のものは、マッサージ効果もある。
【実施例６】
【００７８】
実施例６のクッションを図６に基づいて説明する。実施例６に示すものは、クッション２の断面形状がＯの字形又はUの字形の中空弾性体である(の)ものである。図６の（Ａ）は、断面形状Ｏの字形を縦方向に伸ばした、小判形（長方形の両短辺にそれぞれ半円を付けた形状）又は楕円形（図面は省略）の中空の弾性体のクッション２を示す。
【００７９】
弾性体は、ゴムでも軟質プラスチックでもよい。ゴムは、加硫ゴムでも熱可塑性のゴムでもどちらでもよい。コスト面では、熱可塑性の方が有利である。軟質プラスチックは、ＥＶＡ、軟質ＰＶＣ、ウレタン等弾性のあるものなら何でもよい。枕に適した弾力性にするため、厚さを調整する。（Ｄ）に示すような、波打った形状にして、弾力性を断面形状により調整してもよい。厚さを部分的に変えて、調整してもよい。
【００８０】
（Ｂ）は、断面形状がＵの字形のクッション２を示す。（Ａ）のものに比べて、開放部分（Ｕの字形のつながってない部分）は変形し易く、クッションが柔らかくなる。その他は（Ａ）のものと同じである。
【００８１】
（Ｃ）は、（Ｂ）のＵの字形の開放部分を少し内側に曲げたものである。（Ｂ）のものに比べて、やや変形しにくくなる。クッションが固くなる。その他は（Ｂ）のものと同じである。
【００８２】
（Ｄ）は、（Ａ）のもの平行部分の片側を波状形状にしたものである。同じ厚さであれば、波状部分は、変形しにくくなる。平行部分の両側を波状形状にてもよい。成型法は、押出成型で成型したものを一定長さにカットする方法が、コスト面で有利である。
【００８３】
実施例６の枕カバー１は、後頭部を枕に相当するクッション２から離しても、又は肩を背もたれから離してもクッション２が落下しないという効果の他に、クッション２の弾力性を中空状の形状や肉厚を調整することにより、調整でき、中空故材料を節約できるという効果がある。
【実施例７】
【００８４】
実施例７の枕カバーを図７に基づいて説明する。実施例７に示すものは、粘着剤を使用して、安価に製造できる使い捨てタイプのものを製造する工程を説明するものである。枕カバー１は、不織布、紙類のような安価なものを使用する。クッション２は、空気を封入した気密性のある薄いプラスチックシートで構成された袋体のような安価なものを使用する。安価なものであれば、他のもの例えば雑フェルトのようなものでもよい。
【００８５】
図６は、ベルトコンベアー上に載せて作業するものを説明するものの平面図である。（Ａ）、（Ｂ）、（Ｃ）、（Ｄ）の順に時間が経過するものである。図６の（Ａ）は、ベルトコンベアー上に面ファスナー１１が付いた枕カバー１とクッション２を並べて置いてある。
【００８６】
（Ｂ）は、クッション２に水性（エマルジョンタイプ）の粘着剤２６を塗布したところを示す。油性（有機溶剤タイプ）のものは、火気及び作業環境の点から好ましくない。時間経過とともに、水性粘着剤の水分は飛び、徐々に透明になって行く。
【００８７】
（Ｃ）は、（Ｂ）の水性粘着剤の水分が飛び、透明になった（粘着剤になった）ところを示す。
【００８８】
（Ｄ）は、枕カバー１に粘着剤２３付のクッション２を取り付けたところを示す。粘着剤２６付のクッション２を裏返して、枕カバー１に貼り合わせるようにして、所定の位置に取り付ける。この実施例６の工程全体は、自動化もできるので、安価に作られる。実施例６のものは、粘着剤２６により取り付けたもので、クッション２は取り外せないので、使い捨てタイプのものである。
【００８９】
クッション２は、空気を封入した気密性のある薄いプラスチックシートで構成された袋体のもの以外のものでもよい。
【００９０】
実施例６の枕カバー１の表面即ち後頭部が当たる面、即ち乗客が着席していない時に外からよく見える面に、広告を載せてもよい。従来、広く行われていた布や不織布だけの枕カバーに、枕に相当するクッション２を付けるには、コスト（費用）増の問題が重要になってくる。材料費、製造工程費用を安くする他に、広告代を取って、全体を安くすることは、普及のために重要である。
【００９１】
実施例６の枕カバー１は、後頭部を枕に相当するクッション２から離しても、又は肩を背もたれから離してもクッション２が落下しないという効果の他に、クッション付枕カバー１を安価に作れるという効果がある。
【産業上の利用可能性】
【００９２】
本発明のクッション付枕カバーは、背もたれ上端面に取り付けられた面ファスナーを利用して、枕に相当するクッションを低コストで、常時座席の背もたれ上部に取り付けるものに適用できる。
【符号の説明】
【００９３】
１………枕カバー
１０……本体
１１……面ファスナー
１２……クッション収納部    
１２１…開口部
１２２…縫い目
１３……メスの面ファスナー
１４……受片
１５……接着剤又は粘着剤
２………クッション
２１……オスの面ファスナー
２２……フック
２３……接着剤又は粘着剤
２４……空気封入口
２５……突起
２６……粘着剤
３………座席
３１……背もたれ上部
３２……背もたれ上端面
３３……面ファスナーのオス
【図１】
2016158850.tif 000003
【図２】
2016158850.tif 000004
【図３】
2016158850.tif 000005
【図４】
2016158850.tif 000006
【図５】
2016158850.tif 000007
【図６】
2016158850.tif 000008
【図７】
2016158850.tif 000009